(57)【要約】  本開示は、クロマトグラフィープロセスにおける機能不良をリアルタイムで予測または検出するために有用なシステムおよび方法を提供する。一部の実施形態では、本開示は、生物学的製品のイオン交換クロマトグラフィーにおいてプロセスクロマトグラムにおける非定型プロファイルを検出するためのシステムおよび方法を提供する。【選択図】図１
2021514058.tif 000002
【特許請求の範囲】
【請求項１】
クロマトグラフィープロセスにおいて機能不良を予測または検出する方法であって、
（ａ）クロマトグラフィーカラムから参照クロマトグラムを生成すること、
（ｂ）前記クロマトグラフィーカラムからプロセスクロマトグラムを生成すること、および
（ｃ）前記プロセスクロマトグラムにおける非定型プロファイルを検出すること
を含み、
前記非定型プロファイルが、クロマトグラフィープロセスの潜在的なまたは実際の機能不良を指し示す、
方法。
【請求項２】
（ｄ）警告シグナルを生成することをさらに含む、請求項１に記載の方法。
【請求項３】
（ｅ）前記クロマトグラフィーカラムを再充填することをさらに含む、請求項２に記載の方法。
【請求項４】
前記クロマトグラフィーカラムが、イオン交換クロマトグラフィーにおいて使用するために好適なものである、請求項１〜３のいずれか１項に記載の方法。
【請求項５】
前記クロマトグラフィーカラムが、アフィニティークロマトグラフィーにおいて使用するために好適なものである、請求項１〜３のいずれか１項に記載の方法。
【請求項６】
前記クロマトグラフィーカラムが、疎水性相互作用クロマトグラフィーにおいて使用するために好適なものである、請求項１〜３のいずれか１項に記載の方法。
【請求項７】
前記クロマトグラフィープロセスの前記潜在的なまたは実際の機能不良がカラム劣化により引き起こされる、請求項１〜６のいずれか１項に記載の方法。
【請求項８】
前記カラム劣化がカラムベッドの破損を含む、請求項７に記載の方法。
【請求項９】
前記非定型プロファイルが、前記参照クロマトグラム上の同等の位置と比較した場合の前記プロセスクロマトグラム上の追加のピークを含む、請求項１〜８のいずれか１項に記載の方法。
【請求項１０】
前記追加のピークが、前記クロマトグラフィープロセス中の洗浄ステップの間に起こる、請求項９に記載の方法。
【請求項１１】
前記洗浄ステップが、前記クロマトグラフィープロセス中の溶出ステップに先行する、請求項１０に記載の方法。
【請求項１２】
前記追加のピークが前記洗浄ステップの間に起こり、かつ前記クロマトグラフィープロセス中の前記溶出ステップに先行する、請求項１１に記載の方法。
【請求項１３】
前記追加のピークの大きさが、前記クロマトグラフィープロセスの前記潜在的なまたは実際の機能不良の深刻度を指し示す、請求項９〜１２のいずれか１項に記載の方法。
【請求項１４】
前記追加のピークの大きさの増加が、前記クロマトグラフィープロセスの前記潜在的なまたは実際の機能不良の前記深刻度の増加を指し示す、請求項１３に記載の方法。
【請求項１５】
前記クロマトグラフィープロセスの前記機能不良が、前記クロマトグラフィーカラムの分離能力の損失を誘導する、請求項９〜１４のいずれか１項に記載の方法。
【請求項１６】
前記非定型プロファイルが、前記参照クロマトグラム上の同等の位置におけるピークまたはくぼみと比較した場合に減少した鋭さまたは減少した大きさを有する前記プロセスクロマトグラム上の少なくとも１つのピークまたは少なくとも１つのくぼみを含む、請求項１〜８のいずれか１項に記載の方法。
【請求項１７】
減少した鋭さまたは減少した大きさを有する前記プロセスクロマトグラム上の前記少なくとも１つのピークまたは前記少なくとも１つのくぼみが、前記洗浄ステップの間に起こる、請求項１６に記載の方法。
【請求項１８】
減少した鋭さまたは減少した大きさを有する前記プロセスクロマトグラム上の前記少なくとも１つのピークまたは前記少なくとも１つのくぼみが、前記溶出ステップの後に起こる、請求項１６または１７に記載の方法。
【請求項１９】
前記非定型プロファイルが、前記参照クロマトグラム上の同等の第１の位置におけるピークまたはくぼみと比較した場合に前記プロセスクロマトグラム上の減少した鋭さまたは減少した大きさを有する第１のピークまたは第１のくぼみおよび前記参照クロマトグラム上の同等の第２の位置におけるピークまたはくぼみと比較した場合に前記プロセスクロマトグラム上の減少した鋭さまたは減少した大きさを有する第２のピークまたは第２のくぼみを含む、請求項１〜８のいずれか１項に記載の方法。
【請求項２０】
前記第１のピークまたは前記第１のくぼみが、前記溶出ステップの後に起こる、請求項１９に記載の方法。
【請求項２１】
前記第１のピークまたは前記第１のくぼみが、回収ステップの開始時に起こるくぼみに対応する、請求項２０に記載の方法。
【請求項２２】
前記第２のピークまたは前記第２のくぼみが、回収ステップの後に起こる、請求項１９〜２１のいずれか１項に記載の方法。
【請求項２３】
前記第２のピークまたは前記第２のくぼみがストリップピークを含む、請求項２２に記載の方法。
【請求項２４】
前記プロセスクロマトグラムが、測定された吸光強度、最大吸光強度、および全体的体積ウィンドウを含む、請求項１〜２３のいずれか１項に記載の方法。
【請求項２５】
前記非定型プロファイルが、全体的体積ウィンドウの間の最大吸光強度を超える測定された吸光強度を含む、請求項２４に記載の方法。
【請求項２６】
前記測定された吸光強度が、紫外（ＵＶ）光に対応する波長において決定される、請求項２４または２５に記載の方法。
【請求項２７】
前記測定された吸光強度が、端点を含めて２６０ナノメートル（ｎｍ）〜２８０ｎｍの波長において決定される、請求項２６に記載の方法。
【請求項２８】
前記測定された吸光強度が、２６０ｎｍの波長において決定されて、Ａ260値を提供する、請求項２６に記載の方法。
【請求項２９】
前記測定された吸光強度が、２８０ｎｍの波長において決定されて、Ａ280値を提供する、請求項２６に記載の方法。
【請求項３０】
前記非定型プロファイルが、全体的体積ウィンドウの間の最大吸光強度を超える測定された吸光強度を含み、かつ、前記最大吸光強度が、少なくとも０．０５のＡ260値またはＡ280値を有する、請求項２８または２９に記載の方法。
【請求項３１】
定型プロファイルが、全体的体積ウィンドウの間の最大吸光強度を超えない測定された吸光強度を含み、かつ、前記最大吸光強度が、０．０５以下のＡ260値またはＡ280値を有する、請求項１〜３０のいずれか１項に記載の方法。
【請求項３２】
前記全体的体積ウィンドウが、端点を含めて１０００Ｌ〜２５００Ｌにおいて起こる、請求項１〜３１のいずれか１項に記載の方法。
【請求項３３】
前記全体的体積ウィンドウが、端点を含めて１２５０Ｌ〜２２５０Ｌにおいて起こる、請求項３２に記載の方法。
【請求項３４】
前記全体的体積ウィンドウが、端点を含めて１６００Ｌ〜１８００Ｌにおいて起こる、請求項３２に記載の方法。
【請求項３５】
前記クロマトグラフィーカラムがＱ  Ｓｅｐｈａｒｏｓｅ陰イオン交換樹脂を含む、請求項１〜３４のいずれか１項に記載の方法。
【請求項３６】
（ａ）前記参照クロマトグラムを生成する前記ステップが、
（１）複数の予備決定された分析物を含む出発組成物およびマトリックスを含む分離組成物を、前記出発組成物の少なくとも１つの分析物が前記マトリックスに可逆的に結合するために充分な条件下で接触させ、前記クロマトグラフィーカラムが前記分離組成物を含み、分析物結合カラムおよび第１の廃棄物組成物を生成すること；
（２）（１）の前記分析物結合カラムおよび洗浄組成物を接触させ、前記出発組成物の前記少なくとも１つの分析物のみが前記マトリックスに結合したままとなり、精製された分析物結合カラムおよび第２の廃棄物組成物を生成すること；
（３）（２）の前記精製された分析物結合カラムおよび溶出組成物を接触させ、前記出発組成物の前記少なくとも１つの分析物が前記マトリックスから前記溶出組成物中に放出されて、溶出した分析物の組成物を生成すること；
（４）前記溶出した分析物の組成物を回収すること；
（５）ステップ（１）〜（４）のそれぞれと同時に、前記第１の廃棄物組成物、前記第２の廃棄物組成物、および前記溶出した分析物の組成物のそれぞれを紫外（ＵＶ）光と接触させること、
（６）前記第１の廃棄物組成物、前記第２の廃棄物組成物、および前記溶出した分析物の組成物のそれぞれの前記ＵＶ光の吸光度を測定して、前記第１の廃棄物組成物、前記第２の廃棄物組成物、および前記溶出した分析物の組成物のそれぞれについて吸光度値を生成すること；ならびに
（７）前記クロマトグラフィーカラムを通過する液体の体積の関数として前記第１の廃棄物組成物、前記第２の廃棄物組成物、および前記溶出した分析物の組成物のそれぞれの前記吸光度値をプロットすることによりクロマトグラムを生成すること
を含む、請求項１〜３５のいずれか１項に記載の方法。
【請求項３７】
（ｂ）前記プロセスクロマトグラムを生成する前記ステップが、
（１）複数の試験分析物を含む出発組成物およびマトリックスを含む分離組成物を、前記出発組成物の少なくとも１つの分析物が前記マトリックスに可逆的に結合するために充分な条件下で接触させ、前記クロマトグラフィーカラムが前記分離組成物を含み、分析物結合カラムおよび第１の廃棄物組成物を生成すること；
（２）（１）の前記分析物結合カラムおよび洗浄組成物を接触させ、前記出発組成物の前記少なくとも１つの分析物のみが前記マトリックスに結合したままとなり、精製された分析物結合カラムおよび第２の廃棄物組成物を生成すること；
（３）（２）の前記精製された分析物結合カラムおよび溶出組成物を接触させ、前記出発組成物の前記少なくとも１つの分析物が前記マトリックスから前記溶出組成物中に放出されて、溶出した分析物の組成物を生成すること；
（４）前記溶出した分析物の組成物を回収すること；
（５）ステップ（１）〜（４）のそれぞれと同時に、前記第１の廃棄物組成物、前記第２の廃棄物組成物、および前記溶出した分析物の組成物のそれぞれを紫外（ＵＶ）光と接触させること、
（６）前記第１の廃棄物組成物、前記第２の廃棄物組成物、および前記溶出した分析物の組成物のそれぞれの前記ＵＶ光の吸光度を測定して、前記第１の廃棄物組成物、前記第２の廃棄物組成物、および前記溶出した分析物の組成物のそれぞれについて吸光度値を生成すること；ならびに
（７）前記クロマトグラフィーカラムを通過する液体の体積の関数として前記第１の廃棄物組成物、前記第２の廃棄物組成物、および前記溶出した分析物の組成物のそれぞれの前記吸光度値をプロットすることによりクロマトグラムを生成すること
を含む、請求項１〜３５のいずれか１項に記載の方法。
【請求項３８】
前記接触ステップ（５）および測定ステップ（６）が連続的である、請求項３６または３７に記載の方法。
【請求項３９】
前記マトリックスが樹脂を含む、請求項３６〜３８のいずれか１項に記載の方法。
【請求項４０】
前記試験分析物が生物学的組成物である、請求項３６〜３８のいずれか１項に記載の方法。
【請求項４１】
前記生物学的組成物が、ヒト対象の治療方法において使用するための治療用組成物である、請求項４０に記載の方法。
【請求項４２】
前記警告シグナルがプロセッサーに電子的に伝達され、かつ、前記プロセッサーが前記クロマトグラフィーカラムに作動可能に連結されている、請求項２〜４１のいずれか１項に記載の方法。
【請求項４３】
前記プロセッサーが前記警告シグナルを受信し、かつ前記クロマトグラフィーカラムの前記潜在的なまたは実際の機能不良が解消されるまで前記クロマトグラフィープロセスを中止しまたはさらなるクロマトグラフィープロセスの開始を防止する、請求項４２に記載の方法。
【発明の詳細な説明】
【技術分野】
【０００１】
関連出願
本出願は、２０１８年２月１５日に出願された米国特許出願第６２／６３１，１６７号の利益を主張し、その内容は参照することにより全体が本明細書に組み込まれる。
【０００２】
本開示は、概して、クロマトグラフィープロセスにおけるエラーのリアルタイム検出を含む、生物学的製品の精製方法に関する。
【背景技術】
【０００３】
タンパク質クロマトグラフィー操作における故障モードの成功裡の時宜を得た同定は困難であり得るが、その理由は、故障モードがプログラムと関連付けられる各ユニット操作に特異的だからというだけでなく、自動的な検出方法が容易に利用可能でないからである。これは大規模製造において特に当てはまる。したがって、工程内の、拡張可能な故障モード検出のシステムおよび方法の長年にわたり望まれてきたが満たされていない必要性が存在する。本開示は、この必要性に対処してそれを解決するためのそのような新規のシステムおよび方法を提供する。
【発明の概要】
【０００４】
本開示は、自動化または半自動化された様式でプロセスクロマトグラムをモニターするためのシステムおよび方法を提供する。本開示の方法の一部の実施形態では、全体的体積ウィンドウ（ｉｎｔｅｇｒａｌ  ｖｏｌｕｍｅ  ｗｉｎｄｏｗ）内の測定された吸光強度が、少なくとも１つの参照クロマトグラムから推定される最大吸光強度と比較され、この測定された吸光強度が、クロマトグラフィーマトリックスにおける不安定性を同定するために使用され、かつ、差し迫った故障を予測および／または同定することにより、方法は、任意の規模でのプロセス性能を向上させる。したがって、本開示は、クロマトグラフィープロセスにおける故障モード検出のために有用な方法およびデバイスを提供する。
【０００５】
本開示は、クロマトグラフィープロセスにおいて機能不良を予測または検出する方法であって、（ａ）クロマトグラフィーカラムから参照クロマトグラムを生成すること、（ｂ）クロマトグラフィーカラムからプロセスクロマトグラムを生成すること、および（ｃ）プロセスクロマトグラムにおける非定型プロファイルを検出することを含み、非定型プロファイルが、クロマトグラフィープロセスの潜在的なまたは実際の機能不良を指し示す、方法を提供する。
【０００６】
本開示の方法の一部の実施形態では、方法は、（ｄ）警告シグナルを生成することをさらに含む。
【０００７】
本開示の方法の一部の実施形態では、方法は、さらに（ｅ）クロマトグラフィーカラムを再充填する。
【０００８】
本開示の方法の一部の実施形態では、クロマトグラフィーカラムは、イオン交換クロマトグラフィーにおいて使用するために好適なものである。
【０００９】
本開示の方法の一部の実施形態では、クロマトグラフィーカラムは、アフィニティークロマトグラフィーにおいて使用するために好適なものである。
【００１０】
本開示の方法の一部の実施形態では、クロマトグラフィーカラムは、疎水性相互作用クロマトグラフィーにおいて使用するために好適なものである。
【００１１】
本開示の方法の一部の実施形態では、クロマトグラフィープロセスの潜在的なまたは実際の機能不良はカラム劣化により引き起こされる。一部の実施形態では、カラム劣化はカラムベッドの破損を含む。
【００１２】
本開示の方法の一部の実施形態では、非定型プロファイルは、参照クロマトグラム上の同等の位置と比較した場合のプロセスクロマトグラム上の追加のピークを含む。一部の実施形態では、追加のピークは、クロマトグラフィープロセス中の洗浄ステップの間に起こる。一部の実施形態では、洗浄ステップは、クロマトグラフィープロセス中の溶出ステップに先行する。一部の実施形態では、追加のピークは洗浄ステップの間に起こり（ｏｃｃｕｒｒｉｎｇ）、かつクロマトグラフィープロセス中の溶出ステップに先行する。
【００１３】
非定型プロファイルが、参照クロマトグラム上の同等の位置と比較した場合のプロセスクロマトグラム上の追加のピークを含む実施形態といった、本開示の方法の一部の実施形態では、追加のピークの大きさは、クロマトグラフィープロセスの潜在的なまたは実際の機能不良の深刻度を指し示す。一部の実施形態では、追加のピークの大きさの増加は、クロマトグラフィープロセスの潜在的なまたは実際の機能不良の深刻度の増加を指し示す。一部の実施形態では、クロマトグラフィープロセスの機能不良は、クロマトグラフィーカラムの分離能力の損失を誘導する。
【００１４】
非定型プロファイルが、参照クロマトグラム上の同等の位置と比較した場合のプロセスクロマトグラム上の追加のピークを含む実施形態といった、本開示の方法の一部の実施形態では、非定型プロファイルは、参照クロマトグラム上の同等の位置におけるピークまたはくぼみと比較した場合に減少した鋭さまたは減少した大きさを有するプロセスクロマトグラム上の少なくとも１つのピークまたは少なくとも１つのくぼみを含む。一部の実施形態では、減少した鋭さまたは減少した大きさを有するプロセスクロマトグラム上の少なくとも１つのピークまたは少なくとも１つのくぼみは、洗浄ステップの間に起こる。一部の実施形態では、減少した鋭さまたは減少した大きさを有するプロセスクロマトグラム上の少なくとも１つのピークまたは少なくとも１つのくぼみは、溶出ステップの後に起こる。
【００１５】
非定型プロファイルが、参照クロマトグラム上の同等の位置と比較した場合のプロセスクロマトグラム上の追加のピークを含む実施形態といった、本開示の方法の一部の実施形態では、非定型プロファイルは、参照クロマトグラム上の同等の第１の位置におけるピークまたはくぼみと比較した場合にプロセスクロマトグラム上の減少した鋭さまたは減少した大きさを有する第１のピークまたは第１のくぼみおよび参照クロマトグラム上の同等の第２の位置におけるピークまたはくぼみと比較した場合にプロセスクロマトグラム上の減少した鋭さまたは減少した大きさを有する第２のピークまたは第２のくぼみを含む。一部の実施形態では、第１のピークまたは第１のくぼみは、溶出ステップの後に起こる。一部の実施形態では、第１のピークまたは第１のくぼみは、回収ステップの開始時に起こるくぼみに対応する。一部の実施形態では、第２のピークまたは第２のくぼみは、回収ステップの後に起こる。一部の実施形態では、第２のピークまたは第２のくぼみはストリップピークを含む。
【００１６】
本開示の方法の一部の実施形態では、プロセスクロマトグラムは、測定された吸光強度、最大吸光強度、および全体的体積ウィンドウを含む。一部の実施形態では、非定型プロファイルは、全体的体積ウィンドウの間の最大吸光強度を超える測定された吸光強度を含む。一部の実施形態では、測定された吸光強度は、紫外（ＵＶ）光に対応する波長において決定される。一部の実施形態では、測定された吸光強度は、端点を含めて２６０ナノメートル（ｎｍ）〜２８０ｎｍの波長において決定される。一部の実施形態では、測定された吸光強度は、２６０ｎｍの波長において決定されて、Ａ260値を提供する。一部の実施形態では、測定された吸光強度は、２８０ｎｍの波長において決定されて、Ａ280値を提供する。一部の実施形態では、非定型プロファイルは、全体的体積ウィンドウの間の最大吸光強度を超える測定された吸光強度を含み、かつ、最大吸光強度は、少なくとも０．０５のＡ260値またはＡ280値を有する。本開示の方法の一部の実施形態では、定型プロファイルは、全体的体積ウィンドウの間の最大吸光強度を超えない測定された吸光強度を含み、かつ、最大吸光強度は、０．０５以下のＡ260値またはＡ280値を有する。
【００１７】
本開示の方法の一部の実施形態では、非定型プロファイルおよび／または定型プロファイルの吸光強度の値は、先行するカラムプロセスの溶出ステップの間に測定される。一部の実施形態では、非定型プロファイルおよび／または定型プロファイルの吸光強度の値は、紫外（ＵＶ）光に対応する波長において決定される。一部の実施形態では、測定された吸光強度は、端点を含めて２６０ナノメートル（ｎｍ）〜２８０ｎｍの波長において決定される。一部の実施形態では、測定された吸光強度は、２６０ｎｍの波長において決定されて、Ａ260値を提供する。一部の実施形態では、測定された吸光強度は、２８０ｎｍの波長において決定されて、Ａ280値を提供する。一部の実施形態では、カラム劣化を指し示す非定型プロファイルを指し示す値の後にシグナルが送信される。
【００１８】
本開示の方法の一部の実施形態では、非定型プロファイルおよび／または定型プロファイルの吸光強度の値は、先行するカラムプロセスの溶出ステップの間に測定される。一部の実施形態では、非定型プロファイルおよび／または定型プロファイルの吸光強度の値は、溶出ステップの間の溶出液のｐＨレベルを評価することにより決定される。一部の実施形態では、ｐＨ値が定型プロファイルから予測されるより高いことからｐＨは非定型プロファイルを指し示した。一部の実施形態では、ｐＨ値が定型プロファイルから予測されるより低いことからｐＨは非定型プロファイルを指し示した。一部の実施形態では、カラム劣化を指し示す非定型プロファイルを指し示す値の後にシグナルが送信される。
【００１９】
本開示の方法の一部の実施形態では、全体的体積ウィンドウは、端点を含めて１Ｌ〜５，０００Ｌにおいて起こる。本開示の方法の一部の実施形態では、全体的体積ウィンドウは、端点を含めて１０００Ｌ〜３，０００Ｌにおいて起こる。本開示の方法の一部の実施形態では、全体的体積ウィンドウは、端点を含めて１０００Ｌ〜２５００Ｌにおいて起こる。一部の実施形態では、全体的体積ウィンドウは、端点を含めて１２５０Ｌ〜２２５０Ｌにおいて起こる。一部の実施形態では、全体的体積ウィンドウは、端点を含めて１６００Ｌ〜１８００Ｌにおいて起こる。本開示の方法の一部の実施形態では、全体的体積ウィンドウは、１Ｌ、１０Ｌ、１００Ｌ、２５０Ｌ、５００Ｌ、１０００Ｌ、１５００Ｌ、２０００Ｌ、２５００Ｌ、３０００Ｌ、４０００Ｌ、５０００Ｌまたはその間の任意のリットル数の体積にわたり起こる。
【００２０】
本開示の方法の一部の実施形態では、クロマトグラフィーカラムはＱ  Ｓｅｐｈａｒｏｓｅ陰イオン交換樹脂を含む。
【００２１】
本開示の方法の一部の実施形態では、（ａ）参照クロマトグラムを生成するステップは、（１）複数の予備決定された分析物を含む出発組成物およびマトリックスを含む分離組成物を、出発組成物の少なくとも１つの分析物がマトリックスに可逆的に結合するために充分な条件下で接触させ、クロマトグラフィーカラムが分離組成物を含み、分析物結合カラムおよび第１の廃棄物組成物を生成すること；（２）（１）の分析物結合カラムおよび洗浄組成物を接触させ、出発組成物の少なくとも１つの分析物のみがマトリックスに結合したままとなり、精製された分析物結合カラムおよび第２の廃棄物組成物を生成すること；（３）（２）の精製された分析物結合カラムおよび溶出組成物を接触させ、出発組成物の少なくとも１つの分析物がマトリックスから溶出組成物中に放出されて、溶出した分析物の組成物を生成すること；（４）溶出した分析物の組成物を回収すること；（５）ステップ（１）〜（４）のそれぞれと同時に、第１の廃棄物組成物、第２の廃棄物組成物、および溶出した分析物の組成物のそれぞれを紫外（ＵＶ）光と接触させること、（６）第１の廃棄物組成物、第２の廃棄物組成物、および溶出した分析物の組成物のそれぞれのＵＶ光の吸光度を測定して、第１の廃棄物組成物、第２の廃棄物組成物、および溶出した分析物の組成物のそれぞれについて吸光度値を生成すること；ならびに（７）クロマトグラフィーカラムを通過する液体の体積の関数として第１の廃棄物組成物、第２の廃棄物組成物、および溶出した分析物の組成物のそれぞれの吸光度値をプロットすることによりクロマトグラムを生成することを含む。
【００２２】
本開示の方法の一部の実施形態では、（ｂ）プロセスクロマトグラムを生成するステップは、（１）複数の試験分析物を含む出発組成物およびマトリックスを含む分離組成物を、出発組成物の少なくとも１つの分析物がマトリックスに可逆的に結合するために充分な条件下で接触させ、クロマトグラフィーカラムが分離組成物を含み、分析物結合カラムおよび第１の廃棄物組成物を生成すること；（２）（１）の分析物結合カラムおよび洗浄組成物を接触させ、出発組成物の少なくとも１つの分析物のみがマトリックスに結合したままとなり、精製された分析物結合カラムおよび第２の廃棄物組成物を生成すること；（３）（２）の精製された分析物結合カラムおよび溶出組成物を接触させ、出発組成物の少なくとも１つの分析物がマトリックスから溶出組成物中に放出されて、溶出した分析物の組成物を生成すること；（４）溶出した分析物の組成物を回収すること；（５）ステップ（１）〜（４）のそれぞれと同時に、第１の廃棄物組成物、第２の廃棄物組成物、および溶出した分析物の組成物のそれぞれを紫外（ＵＶ）光と接触させること、（６）第１の廃棄物組成物、第２の廃棄物組成物、および溶出した分析物の組成物のそれぞれのＵＶ光の吸光度を測定して、第１の廃棄物組成物、第２の廃棄物組成物、および溶出した分析物の組成物のそれぞれについて吸光度値を生成すること；ならびに（７）クロマトグラフィーカラムを通過する液体の体積の関数として第１の廃棄物組成物、第２の廃棄物組成物、および溶出した分析物の組成物のそれぞれの吸光度値をプロットすることによりクロマトグラムを生成することを含む。
【００２３】
本開示の方法の一部の実施形態では、クロマトグラムを生成するステップ（ａ）または（ｂ）は接触ステップ（５）および測定ステップ（６）を含み、かつ、さらには、接触ステップ（５）および測定ステップ（６）は連続的である。一部の実施形態では、接触ステップ（５）および測定ステップ（６）は、同時的、逐次的または交互、かつ、連続的である。
【００２４】
本開示の方法の一部の実施形態では、クロマトグラフィーカラムはマトリックスを含み、かつ、マトリックスは樹脂を含む。
【００２５】
本開示の方法の一部の実施形態では、特に、クロマトグラムを生成するステップ（ａ）または（ｂ）に関して、試験分析物は生物学的組成物である。一部の実施形態では、生物学的組成物は、ヒト対象の治療方法において使用するための治療用組成物である。一部の実施形態では、生物学的組成物は治療用タンパク質を含む。
【００２６】
本開示の方法の一部の実施形態では、警告シグナルはプロセッサーに電子的に伝達され、かつ、プロセッサーはクロマトグラフィーカラムに作動可能に連結されている。一部の実施形態では、プロセッサーは警告シグナルを受信し、かつクロマトグラフィーカラムの潜在的なまたは実際の機能不良が解消されるまでクロマトグラフィープロセスを中止しまたはさらなるクロマトグラフィープロセスの開始を防止する。
【００２７】
本発明の追加の態様および実施形態は、以下の詳細な説明から明らかとなるであろう。
【図面の簡単な説明】
【００２８】
【図１】図１は、歴史的基準である参照クロマトグラムを表す。
【図２】図２は別の参照クロマトグラムを表す。
【図３】図３は、不規則な洗浄２のピークを示すクロマトグラムを表す。
【図４】図４は、不規則な洗浄２のピーク、不規則な溶出ピーク、およびストリップピークにおける鋭さの損失を示すクロマトグラムを表す。
【図５】図５は、故障クロマトグラムを表す。洗浄２のピークが存在する。
【図６】図６は、定型および非定型ＶＥＧＦ−Ｔｒａｐ  Ｑクロマトグラムの比較を表す。非定型ＵＶ跡の大部分は、洗浄２への６３５リットルにおいて吸光度≧０．０５ａｕを有する。
【図７】図７は、追加の非定型のＶＥＧＦ−Ｔｒａｐ  Ｑクロマトグラム、すなわち、洗浄２のピークの例を表す。
【図８】図８は、追加の定型のＶＥＧＦ−Ｔｒａｐ  Ｑクロマトグラムを表す。ＵＶ跡は、洗浄２への６３５リットルにおいて０．０５の吸光度を超えない。
【発明を実施するための形態】
【００２９】
タンパク質クロマトグラフィー操作における故障モードの成功裡の時宜を得た同定は、特に大規模製造において、困難であり得るが、その理由は、故障モードがプログラムと関連付けられる各ユニット操作に特異的だからというだけでなく、本開示の組成物および方法の非存在下で、自動的な検出方法が容易に利用可能でないからである。
【００３０】
本開示は、故障モード検出のための新規のウォッチシステムおよび方法を提供する。この新たなウォッチシステムおよびクロマトグラフィーカラムモニタリングの方法は、カラムがその意図される機能を行っていない場合にオペレーターに警告することが意図される。本開示のウォッチシステムおよび方法は、全体的時点においてシステムシグナルを自動的にモニターして、カラムが最適に機能しているかどうかを決定する。システムが許容基準を満たさない場合、メッセージがオペレーターに示されて、事象を品質管理システムに加えることをオペレーターに指示し、さらなる調査および潜在的に修復が可能となる。モニターされるシグナル、有意なシグナル強度、および全体的時間ウィンドウは全て、モニターすべき各特有のクロマトグラフィーユニット操作のために経験的に決定される。
【００３１】
クロマトグラフィー
本開示のシステムおよび方法は、分取または分析クロマトグラフィーのために使用されてもよい。一部の実施形態では、本開示の方法は、疾患の治療用の組成物において使用され得るタンパク質を精製するために使用される。特に、治療用タンパク質の大規模または大容量精製のための分取クロマトグラフィーを伴う方法について、精製プロセスの効率は本質的である。本開示のシステムおよび方法は、任意の規模において使用されてもよい。しかしながら、それらは、多数の調製物が処理されている場合、ならびに、機能障害のあるシステム（例えば、価値のある分析物を捕捉すべき場合に該分析物が分離組成物を通過するクロマトグラフィーカラム）が、価値のある製品および価値のある製造時間の損失を結果としてもたらす場合に特に有用である。本開示のシステムおよび方法は、リアルタイムでクロマトグラフィープロセスにおける機能不良を予測および検出し、機能障害のあるプロセスを同定した結果として、機能障害のあるプロセスを使用して追加の作業を行う前に機能の回復および効率的かつ信頼できる精製に戻すことを可能とする。
【００３２】
本開示は、クロマトグラフィーの任意の形態を包含する。技術として、クロマトグラフィーは、混合物から成分を分離する方法である。分離は、移動相および固定相の分配を通じて達成される。本明細書に記載されるように、試験分析物を含み、任意選択的に調製用でもある、出発組成物は移動相に属する。本明細書に記載されるように、マトリックスを含む分離組成物は固定相に属する。本開示の例示的なマトリックスは、化学的特性（電荷）および／または物理的性質（サイズ）に基づいて移動相の要素を分離する能力を有する任意の材料を含んでもよい。
【００３３】
治療用タンパク質の調製方法といった、本開示の一部の実施形態において使用される場合、クロマトグラフィープロセスとしては、カラムおよび平面クロマトグラフィーを挙げることができるがこれらに限定されない。一部の好ましい実施形態では、クロマトグラフィープロセスとしては、カラムクロマトグラフィーを挙げることができるがこれに限定されない。
【００３４】
カラムクロマトグラフィー
本開示は、湿式法および乾式法といった、カラムクロマトグラフィーの任意の形態を包含する。乾式法では、分離組成物は乾燥マトリックスを含み、乾燥マトリックスはその後に液体出発組成物と接触させられ、最適には、マトリックス全体を湿らせ、かつプロセス全体の終了までマトリックスが乾燥しないことを可能とする。湿式法では、分離組成物は、マトリックスおよび溶出液の懸濁液またはスラリーを含み、これがカラム中に導入された後、液体出発組成物と接触させられる。
【００３５】
イオン交換クロマトグラフィー
本開示の一部の実施形態では、分離組成物は、電荷に基づいて移動相の要素を分離する能力を有する任意の材料を含んでもよい。例えば、分離組成物は、出発組成物からの荷電したタンパク質分析物に可逆的に結合するマトリックスを含んでもよい。したがって、分離マトリックスは、陰イオンまたは陽イオン交換クロマトグラフィーのために好適なものであってもよく、それぞれ正味の負または正電荷を有するマトリックスを含んでもよい。本開示の一部の実施形態では、分離組成物は、セファロースまたはＱセファロースを含むマトリックスを含む。本開示の一部の実施形態では、クロマトグラフィーカラムはＱカラムである。
【００３６】
アフィニティークロマトグラフィー
本開示の一部の実施形態では、分離組成物は、抗原／抗体結合パートナー、酵素／基質結合パートナー、受容体／リガンド結合パートナー、タンパク質／タンパク質結合パートナー、タンパク質／核酸結合パートナー、および核酸／核酸結合パートナーが挙げられるがこれらに限定されない結合パートナー間の特異的相互作用に基づいて移動相の要素を分離する能力を有する任意の材料を含んでもよい。例えば、分離組成物は、結合パートナーの他のパートナーを含むことにより結合パートナーの１つのパートナー（例えば、出発組成物からの分析物）に可逆的に結合するマトリックスを含んでもよい。例として、分離組成物は、出発組成物の分析物が特異的に結合して出発材料からの抗体分析物を選択的に精製する抗原を含むマトリックスを含んでもよい。さらなる実例として、分離組成物は、ＶＥＧＦ−Ｔｒａｐが選択的に結合して出発材料からのＶＥＧＦ−Ｔｒａｐ分析物を選択的に精製するＶＥＧＦタンパク質のエピトープを含むマトリックスを含んでもよい。
【００３７】
疎水性相互作用クロマトグラフィー（ＨＩＣ）
本開示の一部の実施形態では、分離組成物は、相対的な疎水性に基づいて移動相の要素を分離する能力を有する任意の材料を含んでもよい。ＨＩＣは、より低い変性性の条件下で作動する条件およびマトリックスの使用の結果としてその生物学的活性を維持しながらタンパク質分析物を選択的に精製するために使用されてもよい。一部の実施形態では、疎水性および親水性領域を含有する本開示の分析物は、高塩緩衝液中でＨＩＣカラムに接触させられる。緩衝液中の塩は、出発材料中の分析物の溶質の溶媒和を低減する。溶媒和が減少するにつれて、曝露される疎水性領域は媒体により吸着される。出発材料中の分子がより疎水性になればなるほど、結合を促進するためにより少ない塩が必要とされる。疎水性を増加させるために、塩勾配の減少を使用してカラムから試料を溶出させてもよい。本開示の溶出緩衝液はまた、穏やかな有機調節剤または穏やかな洗浄剤を含んでもよい。
【００３８】
サイズ排除クロマトグラフィー（ＳＥＣ）
本開示の一部の実施形態では、分離組成物は、相対的なサイズ、または一部の場合には、相対的な分子量に基づいて移動相の要素を分離する能力を有する任意の材料を含んでもよい。ＳＥＣは、タンパク質およびポリマーなどの大きい分子または高分子複合体を選択的に精製するために使用されてもよい。一部の実施形態、例えば、カラムを通じて移動相を輸送するために水性溶液が使用される実施形態では、技術は、ゲル濾過クロマトグラフィーとして公知である。一部の実施形態、例えば、カラムを通る移動相として有機溶媒が使用される実施形態では、技術はゲル浸透クロマトグラフィーとして公知である。一部の実施形態では、クロマトグラフィーカラムは、例えば、デキストランポリマー（Ｓｅｐｈａｄｅｘ）、アガロース（Ｓｅｐｈａｒｏｓｅ）、またはポリアクリルアミド（ＳｅｐｈａｃｒｙｌまたはＢｉｏＧｅｌ  Ｐ）から構成される微細な多孔性ビーズを充填される。これらのビーズの孔径は、高分子の寸法を推定するために使用される。ゲル濾過クロマトグラフィーを使用してタンパク質分析物および他の水溶性ポリマーを分別することができ、ゲル浸透クロマトグラフィーを使用して、分子量分布に基づいて有機可溶性ポリマーを分別することができる。
【００３９】
高速液体クロマトグラフィー（ＨＰＬＣ）
本開示の一部の実施形態では、分離組成物は、吸着剤材料との分離組成物の相互作用に基づいて移動相の要素を分離する能力を有する任意の材料を含んでもよく、該相互作用は、異なる成分について異なる流速を引き起こし、それらがカラムから流出する際の成分の分離に繋がる。移動相中の分析物は、例えば、疎水性、イオン性または双極子−双極子相互作用を通じて分離され得る。ＨＰＬＣは、ポンプに依拠して、移動相を含有する加圧された液体溶媒を、固体吸着剤材料を充填したカラムに通す。一部の実施形態では、カラムの活性成分、吸着剤は、固体粒子（例えば、シリカまたはポリマー）から作られた粒状材料を含む。例示的な粒子サイズとしては２〜５０ミクロンの粒子が挙げられ、この小さいサイズは、ＨＰＬＣクロマトグラフィーに優れた分解能力を与えることができる。一部の実施形態では、加圧される移動相は、水、アセトニトリルおよび／またはメタノールなどの溶媒の混合物である。一部の実施形態では、ＨＰＬＣポンプは、時間と共に変化する比で複数の溶媒を混合して、移動相中の勾配組成物を生成する。一部の実施形態では、移動相の水性成分は、酸（例えば、ギ酸、リン酸もしくはトリフルオロ酢酸）または塩を含有して試料成分の分離を補助する。一部の実施形態では、ＨＰＬＣは、分配クロマトグラフィー、順相クロマトグラフィー、置換クロマトグラフィー、逆相クロマトグラフィー、サイズ排除クロマトグラフィー、イオン交換クロマトグラフィー、アフィニティークロマトグラフィー、疎水性（ｈｙｄｒｏｐｏｂｉｃ）相互作用クロマトグラフィーまたは水性順相クロマトグラフィーを含む。
【００４０】
高速タンパク質液体クロマトグラフィー（ＦＰＬＣ）
本開示の一部の実施形態では、分離組成物は、分離組成物についての異なる親和性に基づいて移動相の要素を分離する能力を有する任意の材料を含んでもよい。高速タンパク質液体クロマトグラフィー（ＦＰＬＣ）は、タンパク質分析物の混合物を分離するために使用される液体クロマトグラフィーの形態である。一部の実施形態では、移動相の異なる成分が移動相および固定相（分離組成物）について異なる親和性を有するので分離が可能である。一部の実施形態では、移動相は、水性溶液、または緩衝液である。緩衝液の流速は、容積式ポンプにより制御され得る。一部の実施形態では、緩衝液の流速は一定であり、かつ、緩衝液の組成は変化する。一部の実施形態では、固定相は、ビーズ、例えばアガロースビーズから構成される樹脂である。当業者は、特定の応用の移動相および分析物に依存してビーズサイズおよび固定相の表面リガンドを変更することができる。
【００４１】
一部の実施形態では、ＦＰＬＣはイオン交換クロマトグラフィーを含む。例えば、固定相樹脂は、第１の緩衝液（ランニングバッファー）中では電荷相互作用によりタンパク質分析物に結合するが、第２の緩衝液（溶出緩衝液）中では解離する。１つまたは複数のタンパク質分析物を含有する混合物を第１の緩衝液中に溶解させ、カラムにポンプ注入する。目的のタンパク質は樹脂に結合し、他の成分は第１の緩衝液中で運ばれる。緩衝液の全流速は一定に保たれる。経時的に、勾配を生成する濃度のプログラムされた変化にしたがって溶出緩衝液のパーセンテージを０％から１００％まで徐々に増加させる。勾配に沿った何らかの点において、結合したタンパク質分析物のそれぞれは解離し、溶出液中に現れる。溶出液は次に検出器を通過する。例示的な検出器は、溶出液の塩濃度（電導度による）および溶出液のタンパク質濃度（紫外光の吸収による）を測定することができる。
【００４２】
加圧
本開示の方法の一部の実施形態では、固定相を通る移動相の流れは重力により制御される。一部の実施形態では、脱塩および親和性応用のような単一ステップ精製のために重力クロマトグラフィーが使用される。典型的な重力カラムは、底部に出口を有するクロマトグラフィーカラムに作動可能に連結された上部の緩衝液リザーバー要素を含む。流れは、緩衝液リザーバーとカラムとの間に止め栓またはチューブピンチャーを使用して制御される。試料投入のばらつきを最小化するためにフローアダプターを使用することができる。一部の実施形態では、重力クロマトグラフィーは、分配クロマトグラフィー、順相クロマトグラフィー、置換クロマトグラフィー、逆相クロマトグラフィー、サイズ排除クロマトグラフィー、イオン交換クロマトグラフィー、アフィニティークロマトグラフィー、疎水性相互作用クロマトグラフィーまたは水性順相クロマトグラフィーを含む。
【００４３】
本開示の方法の一部の実施形態では、クロマトグラフィーは低圧クロマトグラフィーを含む。一部の実施形態では、低圧クロマトグラフィーシステムは、５０プサイ（約３ｂａｒ）未満の圧力において作動するシステムである。低圧クロマトグラフィーは、高分解能を必要としないタンパク質分離で使用され得る。
【００４４】
本開示の方法の一部の実施形態では、クロマトグラフィーは中圧クロマトグラフィーを含む。一部の実施形態では、中圧クロマトグラフィーシステムは、最大３，５００プサイ（２４Ｍｐａ）の圧力において作動するシステムである。中圧クロマトグラフィーシステムは、例えば５〜１５μｍのビーズを使用して、より高い分解能の固定相組成物を収容するために充分な圧力を生成する。一部の実施形態では、中圧クロマトグラフィーは、分配クロマトグラフィー、順相クロマトグラフィー、置換クロマトグラフィー、逆相クロマトグラフィー、サイズ排除クロマトグラフィー、イオン交換クロマトグラフィー、アフィニティークロマトグラフィー、疎水性相互作用クロマトグラフィーまたは水性順相クロマトグラフィーを含む。
【００４５】
本開示の方法の一部の実施形態では、クロマトグラフィーは、高圧クロマトグラフィー、例えばＨＰＬＣを含む。
【００４６】
移動相
本開示は、溶出液、溶媒、無菌溶媒、および薬学的に許容される担体が挙げられるがこれらに限定されない、移動相の任意の形態を包含する。本開示の溶出組成物は、薬学的に許容される担体を含んでもよい。
【００４７】
固定相
本開示は、シリカ、アルミナ（Ａｌ2Ｏ3）、セルロース、セファロースおよびＱセファロースが挙げられるがこれらに限定されない、固定相の任意の形態を包含する。例示的な本開示の分離組成物は、マトリックス、ポリマー、樹脂、タンパク質、またはその組合せを含んでもよい。一部の実施形態では、分離組成物は、セファロースまたはＱセファロースを含む。
【００４８】
クロマトグラム
本明細書において使用される場合、クロマトグラムはクロマトグラフのビジュアルな出力である。典型的には、溶出液の保持時間および／または流出体積はクロマトグラムのｘ軸に表され、シグナルはｙ軸にプロットされる。例示的なシグナルとしては、電気コンダクタンス、吸光度および質量分析が挙げられるがこれらに限定されず、クロマトグラフを出る分析物に対する検出器の応答に対応する。一部の実施形態では、このシグナルは、クロマトグラフにより分離されている特定の分析物の濃度に比例する。
【００４９】
一つの例示的な実施形態では、光吸収により測定されるようなタンパク質濃度は、クロマトグラムのｙ軸にプロットされる。溶液中の多くのタンパク質は光、例えば２８０ｎｍの波長の紫外光を吸収し、これを使用して試料中のタンパク質濃度を算出することができる。タンパク質に依存して、光の追加の波長が想定される。例えば、ヘム基またはフルオロフォアを含むタンパク質は、光の異なる波長を用いて検出可能である。当業者は、特定の分析物のために好適な検出システムを選択することができる。
【００５０】
生物学的試料
本開示の方法の一部の実施形態では、分析物は、タンパク質、ペプチド、核酸またはウイルスを含む。一部の実施形態では、核酸はデオキシリボ核酸（ＤＮＡ）またはリボ核酸（ＲＮＡ）である。一部の実施形態では、ウイルスは、アデノウイルス、アデノ随伴ウイルスまたはレンチウイルスである。
【実施例】
【００５１】
実施例１：ＶＥＧＦ  Ｔｒａｐの精製
精製用の例示的な分析物としてＶＥＧＦ−Ｔｒａｐを使用して、図１〜８は、例示的な参照クロマトグラム（図１および図２）の他に、非定型プロファイルを有する例示的なプロセスクロマトグラム（図３〜５）の両方を示す。
【００５２】
簡潔に述べれば、図１〜８のクロマトグラムは、複数の分析物（ＶＥＧＦ−Ｔｒａｐ分析物の他に、複数の汚染物（例えば、宿主細胞タンパク質、ＤＮＡおよびシアル酸付加が乏しい（ｐｏｏｒｌｙ  ｓｉａｌｉａｔｅｄ）タンパク質））を含む出発組成物およびマトリックスを含む分離組成物（この実施例では、Ｑ  Ｓｅｐｈａｒｏｓｅ）を、出発組成物の少なくとも１つのＶＥＧＦ−Ｔｒａｐタンパク質がマトリックスに可逆的に結合するために充分な条件下で接触させ、クロマトグラフィーカラムが分離組成物を含み、分析物結合カラムおよび第１の廃棄物組成物を生成することにより生成された（ｗｈｅｒｅ  ｇｅｎｅｒａｔｅｄ）。次に、分析物結合カラムおよび第１の洗浄組成物を接触させ、出発組成物のＶＥＧＦ−Ｔｒａｐタンパク質はマトリックスに結合したままとなり、精製された分析物結合カラムおよび第２の廃棄物組成物を生成した。分析物結合カラムおよび第２の洗浄組成物を接触させ、定型プロファイルを示す参照クロマトグラムにおいて、出発組成物のＶＥＧＦ−Ｔｒａｐタンパク質はマトリックスに結合したままとなり、精製された分析物結合カラムおよび第３の廃棄物組成物を生成した。非定型プロファイルを示すプロセスクロマトグラフを生成するために、分析物結合カラムおよび第２の洗浄組成物を接触させ、非定型プロファイルを示すプロセスクロマトグラムにおいて、出発組成物のＶＥＧＦ−Ｔｒａｐタンパク質のみがマトリックスに結合したままとなり、精製された分析物結合カラムおよび第３の廃棄物組成物を生成するが、第３の廃棄物組成物は汚染物またはＶＥＧＦ−Ｔｒａｐタンパク質を含む。参照クロマトグラムおよびプロセスクロマトグラムの両方において、精製された分析物結合カラムおよび溶出組成物を接触させ、出発組成物の少なくとも１つの分析物がマトリックスから溶出組成物中に放出されて、溶出した分析物の組成物を生成する。参照クロマトグラムおよびプロセスクロマトグラムの両方において、溶出した分析物の組成物を回収する。上記のそれぞれと同時に、第１の廃棄物組成物、第２の廃棄物組成物、第３の廃棄物組成物および溶出した分析物の組成物のそれぞれを紫外（ＵＶ）光と接触させる。同時的または逐次的に、第１の廃棄物組成物、第２の廃棄物組成物、第３の廃棄物組成物および溶出した分析物の組成物のそれぞれのＵＶ光の吸光度を測定して、第１の廃棄物組成物、第２の廃棄物組成物、第３の廃棄物組成物、および溶出した分析物の組成物のそれぞれについて吸光度値を生成する。第１の廃棄物組成物、第２の廃棄物組成物、第３の廃棄物組成物および溶出した分析物の組成物のそれぞれについての吸光度値を、クロマトグラフィーカラムを通過する液体の体積の関数としてプロットして、クロマトグラムを生成した。クロマトグラフの生成は、クロマトグラフィープロセスとのリアルタイムで行い、追加のピークがクロマトグラム上に現れる際に非定型プロファイルの存在が決定される。非定型プロファイルの出現により、検出器および／またはプロセッサーは、クロマトグラフィーカラムに作動可能に連結されたプロセッサーに警告シグナルを送信し、そしてそれが、カラムの機能不良が解消できるまでその後のクロマトグラフィープロセスを防止する。
【図１】
2021514058.tif 000003
【図２】
2021514058.tif 000004
【図３】
2021514058.tif 000005
【図４】
2021514058.tif 000006
【図５】
2021514058.tif 000007
【図６】
2021514058.tif 000008
【図７】
2021514058.tif 000009
【図８】
2021514058.tif 000010
【国際調査報告】
2021514058.tif 000011
2021514058.tif 000012
2021514058.tif 000013